(57)【要約】【課題】  光ピックアップの汚れ検出精度を高くすることができる光ピックアップの汚れ検出装置、その制御方法、制御プログラム及び記録媒体を提供する。【解決手段】  光ディスク再生時の光ピックアップの受光レベルが基準レベル以下になると（ステップＳ２：YES）、予め定めた枚数の異なる光ディスクについての受光レベルの判定結果の記憶を開始し（ステップＳ３）、これら光ディスクのうちの何枚の受光レベルが基準レベル以下となったか否かに応じて光ピックアップ３０の汚れを判定し（ステップＳ４、Ｓ５）、その判定結果に応じて光ピックアップの汚れを報知するようにした（ステップＳ６）。【選択図】      図２
2006277781.tif 000002
【特許請求の範囲】
【請求項１】
光ディスクに光を照射してその反射光を受光する光ピックアップの汚れを検出する汚れ検出装置において、
前記光ピックアップが、前記光ディスクからの反射光を受光している場合の受光レベルが予め設定した基準レベル以下か否かを判定する受光レベル判定手段と、
前記受光レベルが基準レベル以下の光ディスクを識別する識別情報を取得する識別情報取得手段と、
前記識別情報を記憶させ、この記憶された識別情報に基づいて、前記受光レベルが基準レベル以下と判定された異なる光ディスクが複数枚存在するか否かを判定し、複数枚存在する場合に、前記光ピックアップが汚れていると判定する汚れ判定手段と
を備えることを特徴とする光ピックアップの汚れ検出装置。
【請求項２】
前記識別情報取得手段は、前記光ピックアップの受光結果から得た前記光ディスクの所定領域に記録された情報を、前記識別情報として取得することを特徴とすることを特徴とする請求項１に記載の光ピックアップの汚れ検出装置。
【請求項３】
前記識別情報取得手段は、前記受光レベル判定手段の判定対象となった光ディスクの識別情報を取得し、
前記汚れ判定手段は、前記受光レベル判定手段の判定結果と前記識別情報とを対応づけて記憶させ、この記憶された情報に基づいて、前記受光レベルが前記基準レベル以下と判定された光ディスクの枚数と、前記受光レベル前記基準レベルより大きいと判定された光ディスクの枚数とが予め定めた条件を満足した場合に、前記光ピックアップが汚れていると判定することを特徴とする請求項１又は２に記載の光ピックアップの汚れ検出装置。
【請求項４】
前記汚れ判定手段は、前記受光レベル判定手段により前記受光レベルが基準レベル以下の光ディスクが検出されると、前記識別情報の記憶を開始し、前記識別情報が記憶された光ディスクの枚数が所定数に達すると、前記光ピックアップの汚れ判定を行うことを特徴とする請求項１乃至３のいずれかに記載の光ピックアップの汚れ検出装置。
【請求項５】
前記汚れ判定手段は、前記光ピックアップが汚れていないと判定した場合、前記受光レベルが基準レベル以下の光ディスクとして記憶された識別情報と一致する識別情報を有する光ディスクが、再び前記受光レベル判定手段により受光レベルが基準レベル以下と判定されると、前記光ディスクが汚れていると判定することを特徴とすることを特徴とする請求項１乃至４のいずれかに記載の光ピックアップの汚れ検出装置。
【請求項６】
前記汚れ判定手段の判定結果を報知する報知手段を有することを特徴とする請求項１乃至５のいずれかに記載の光ピックアップの汚れ検出装置。
【請求項７】
光ディスクに光を照射してその反射光を受光する光ピックアップの汚れを検出する汚れ検出装置の制御方法において、
前記光ピックアップが、前記光ディスクからの反射光を受光している場合の受光レベルが予め設定した基準レベル以下か否かを判定する受光レベル判定ステップと、
前記受光レベルが基準レベル以下の光ディスクを特定する識別情報を取得する識別情報取得ステップと、
前記識別情報を記憶させ、この記憶された識別情報に基づいて、前記受光レベルが基準レベル以下と判定された異なる光ディスクが複数枚存在するか否かを判定し、複数枚存在する場合に、前記光ピックアップが汚れていると判定する汚れ判定ステップと、
を実行することを特徴とする光ピックアップの汚れ検出装置の制御方法。
【請求項８】
光ディスクに光を照射してその反射光を受光する光ピックアップの汚れを検出する汚れ検出装置をコンピュータにより制御するための制御プログラムにおいて、
コンピュータを、前記光ピックアップが、前記光ディスクからの反射光を受光している場合の受光レベルが予め設定した基準レベル以下か否かを判定する受光レベル判定手段と、
前記受光レベルが基準レベル以下の光ディスクを識別する識別情報を取得する識別情報取得手段と、
前記識別情報を記憶させ、この記憶された識別情報に基づいて、前記受光レベルが基準レベル以下と判定された異なる光ディスクが複数枚存在するか否かを判定し、複数枚存在する場合に、前記光ピックアップが汚れていると判定する汚れ判定手段として機能させるための制御プログラム。
【請求項９】
請求項８に記載の制御プログラムを記録したことを特徴とするコンピュータ読み取り可能な記録媒体。
【発明の詳細な説明】
【技術分野】
【０００１】
本発明は、光ピックアップの汚れを検出する汚れ検出装置、その制御方法、制御プログラム及び記録媒体に関する。
【背景技術】
【０００２】
従来より、ＣＤ（Compact Disc）やＤＶＤ（Digital Versatile Disk）等のディスク型記録媒体（光ディスク）を再生するディスク再生装置には、光ピックアップの対物レンズの汚れを検出する機能を備えたものがある。この種のディスク再生装置は、ディスク再生時の光ピックアップの受光レベルが予め設定した基準レベル以下か否かを判定し、基準レベル以下となった場合に、光ピックアップが汚れていると判定するように構成されている（例えば、特許文献１）。
【特許文献１】特開平８−３１５３９６号公報
【発明の開示】
【発明が解決しようとする課題】
【０００３】
しかし、従来の構成では、光ピックアップの対物レンズが汚れていなくても光ディスクが汚れていると、その光ディスクの反射率が低下するために光ピックアップの受光レベルが低下し、これによって、光ピックアップが汚れていると誤検知してしまう問題があった。また、光ディスクが汚れているのか光ピックアップが汚れているのかを判別可能な汚れ検出装置を提供できれば、ユーザに汚れている方を正確に報知することができ、より高機能な汚れ検出装置を提供することができる。
【０００４】
本発明は、上述した事情に鑑みてなされたものであり、光ピックアップの汚れ検出精度を高くすることができる光ピックアップの汚れ検出装置、その制御方法、制御プログラム及び記録媒体を提供することにある。
【課題を解決するための手段】
【０００５】
上述課題を解決するため、本発明は、光ディスクに光を照射してその反射光を受光する光ピックアップの汚れを検出する汚れ検出装置において、前記光ピックアップが、前記光ディスクからの反射光を受光している場合の受光レベルが予め設定した基準レベル以下か否かを判定する受光レベル判定手段と、前記受光レベルが基準レベル以下の光ディスクを識別する識別情報を取得する識別情報取得手段と、前記識別情報を記憶させ、この記憶された識別情報に基づいて、前記受光レベルが基準レベル以下と判定された異なる光ディスクが複数枚存在するか否かを判定し、複数枚存在する場合に、前記光ピックアップが汚れていると判定する汚れ判定手段とを備えることを特徴とする。
この構成によれば、受光レベルが基準レベル以下の光ディスクを識別する識別情報を記憶し、この識別情報に基づいて、光ピックアップの受光レベルが基準レベル以下と判定された異なる光ディスクが複数枚存在するか否かを判定して、複数枚存在する場合に光ピックアップが汚れていると判定するので、光ピックアップが汚れているのか光ディスクが汚れているかを判別することができ、光ピックアップの汚れ検出精度が向上する。
【０００６】
上記構成において、前記識別情報取得手段が、前記光ピックアップの受光結果から得た前記光ディスクの所定領域に記録された情報を、前記識別情報として取得してもよい。また、前記識別情報取得手段が、前記受光レベル判定手段の判定対象となった光ディスクの識別情報を取得し、前記汚れ判定手段が、前記受光レベル判定手段の判定結果と前記識別情報とを対応づけて記憶させ、この記憶された情報に基づいて、前記受光レベルが前記基準レベル以下と判定された光ディスクの枚数と、前記受光レベル前記基準レベルより大きいと判定された光ディスクの枚数とが予め定めた条件を満足した場合に、前記光ピックアップが汚れていると判定するようにしてもよい。
【０００７】
また、上記構成において、前記汚れ判定手段が、前記受光レベル判定手段により前記受光レベルが基準レベル以下の光ディスクが検出されると、前記識別情報の記憶を開始し、前記識別情報が記憶された光ディスクの枚数が所定数に達すると、前記光ピックアップの汚れ判定を行うようにしてもよい。また、前記汚れ判定手段が、前記光ピックアップが汚れていないと判定した場合、前記受光レベルが基準レベル以下の光ディスクとして記憶された識別情報と一致する識別情報を有する光ディスクが、再び前記受光レベル判定手段により受光レベルが基準レベル以下と判定されると、前記光ディスクが汚れていると判定するようにしてもよい。これにより、光ディスクが汚れている場合にその旨を報知することにより、光ディスクの汚れをユーザに報知することができる。
また、前記汚れ判定手段の判定結果を報知する報知手段を設けてもよい。
【０００８】
また、本発明は、光ディスクに光を照射してその反射光を受光する光ピックアップの汚れを検出する汚れ検出装置の制御方法において、前記光ピックアップが、前記光ディスクからの反射光を受光している場合の受光レベルが予め設定した基準レベル以下か否かを判定する受光レベル判定ステップと、前記受光レベルが基準レベル以下の光ディスクを特定する識別情報を取得する識別情報取得ステップと、前記識別情報を記憶させ、この記憶された識別情報に基づいて、前記受光レベルが基準レベル以下と判定された異なる光ディスクが複数枚存在するか否かを判定し、複数枚存在する場合に、前記光ピックアップが汚れていると判定する汚れ判定ステップとを実行することを特徴とする。
この構成によれば、受光レベルが基準レベル以下の光ディスクを識別する識別情報を記憶させ、この識別情報に基づいて、光ピックアップの受光レベルが基準レベル以下と判定された異なる光ディスクが複数枚存在するか否かを判定して、複数枚存在する場合に光ピックアップが汚れていると判定するので、光ピックアップが汚れているのか光ディスクが汚れているかを判別することができ、光ピックアップの汚れ検出精度が向上する。
【０００９】
また、本発明は、以上説明した光ピックアップの汚れ検出装置及びその制御方法に適用する他、この発明を実施するための制御プログラムを電気通信回線を介して一般ユーザに配布したり、そのようなプログラムを、磁気記録媒体、光記録媒体、半導体記録媒体等のコンピュータに読み取り可能な記録媒体に格納して一般ユーザに配布する、といった態様でも実施され得る。
【発明の効果】
【００１０】
本発明は、受光レベルが基準レベル以下の光ディスクを識別する識別情報を記憶し、この識別情報に基づいて、光ピックアップの受光レベルが基準レベル以下と判定された異なる光ディスクが複数枚存在するか否かを判定し、複数枚存在する場合に光ピックアップが汚れていると判定するので、光ピックアップが汚れているのか光ディスクが汚れているかを判別することができ、光ピックアップの汚れ検出精度が向上する。
【発明を実施するための最良の形態】
【００１１】
以下、図面を参照して本発明の実施形態を詳述する。
図１は、本実施形態に係るディスク再生装置の光ピックアップの汚れ検出に関わる構成を示すブロック図である。
このディスク再生装置１０は、ＣＤ等のディスク型記録媒体（以下、光ディスク２０と言う）を再生する車載型ディスク再生装置であり、このディスク再生装置１０は、液晶表示装置を備える表示部１２やユーザから各種指示を入力する指示入力部１３を有し、指示入力部１３を介して入力された指示に応じて当該装置１０に挿入された光ディスク２０を再生し、この光ディスク２０に記録された音声を車両スピーカ（図示せず）から報音させるものである。
【００１２】
上記光ディスク２０は、図示を省略したローディング機構によって当該再生装置１０内にローディングされ、ターンテーブル１４にクランプされる。このターンテーブル１４は、駆動部１５によって回転駆動され、これによって、光ディスク２０が回転駆動される。
このターンテーブル１４の近傍には、光ピックアップ３０が配置され、この光ピックアップ３０は、光ディスク２０の情報記録面に向けてレーザ光を照射するレーザーダイオードと、このレーザ光の反射光を受光する受光素子と、この照射光及び反射光を集光するための対物レンズ等の光学系とを備え、レーザ光の反射光の受光レベルを示すＲＦ信号や、トラッキングエラー信号や、フォーカスエラー信号を出力する。
【００１３】
また、この光ピックアップ３０は、光ディスク２０の径方向に移動自在に支持され、制御部１９の制御の下、駆動部１５によって光ディスク２０の径方向の位置が制御（トラッキング制御を含む）されると共に、対物レンズのフォーカス制御が行われる。なお、この光ピックアップ３０の構成及びディスク再生装置１０の構成は、汚れ検出に関わる構成を除いて従来のものと略同様であるため、以下、汚れ検出に関わる部分を詳細に説明する。
【００１４】
レベル検出部１６は、光ピックアップ３０から出力されるＲＦ信号の信号レベル、つまり、光ピックアップ３０の受光レベルを検出するものであり、比較部１７は、レベル検出部１６により検出された受光レベルを、予め設定された基準レベルＬ０と比較し、比較結果を制御部１９に出力する。ここで、基準レベルＬ０は、光ピックアップ３０の対物レンズが汚れている場合に上記受光レベルが下回るレベルに設定されている。なお、光ピックアップ３０の受光レベルは、上記ＲＦ信号で検出する場合に限らず、光ピックアップ３０の他の出力信号（フォーカスエラー信号やトラッキングエラー信号）で検出してもよい。
再生部１８は、制御部１９の制御の下、光ピックアップ３０から出力されるＲＦ信号から光ディスク２０に記憶された情報を再生するものである。
【００１５】
制御部１９は、このディスク再生装置１０全体を制御するものであり、記憶部１９Ａは、制御部１９が実行する汚れ検出用の制御プログラムを含む各種プログラム等のデータが予め記憶される記憶領域（例えばＲＯＭ）と、光ディスク２０から読み出したＴＯＣ（Table Of Contents）情報や各種フラグ等を書き込み可能な記憶領域（例えばＲＡＭやＳＲＡＭ）とを備えている。
【００１６】
次に、このディスク再生装置１０の光ピックアップ３０の汚れを検出する汚れ検出処理について説明する。図２は汚れ検出処理を示すフローチャートである。
制御部１９は、光ディスク２０が挿入されると（ステップＳ１）、駆動部１５を制御して再生部１８により光ディスク２０に記録されたＴＯＣ情報（識別情報）を読み出し、ＴＯＣ情報を記憶部１９Ａに記憶すると共に、この光ディスク再生時（ＴＯＣ情報読み取り時を含む）における光ピックアップ３０の受光レベルを、レベル検出部１６により検出させ、比較部１７により、その受光レベルと基準レベルＬ０との比較結果を取得する。
【００１７】
次に、制御部１９は、上記比較結果から光ピックアップ３０の受光レベルが基準レベルＬ０を上回る場合には（ステップＳ２：NO）、ステップＳ１の処理に移行し、光ディスク２０の挿入待ちとなる。なお、この場合、制御部１９は、指示入力部１３を介して入力される各種指示に応じて光ディスク２０の再生処理を行い、この再生処理の際、記憶部１９Ａに記憶されたＴＯＣ情報を適宜参照し、曲数、曲の再生時間、曲の先頭アドレス等を取得する。また、このＴＯＣ情報は、この光ディスク２０を排出した際に記憶部１９Ａから消去される。
【００１８】
一方、光ピックアップ３０の受光レベルが基準レベル以下の場合（ステップＳ２：YES）、制御部１９は、光ディスク２０の履歴取得処理を開始すべく、開始フラグを立て（記憶部１９Ａの所定領域に格納した開始フラグを「０」から「１」に変更し）、比較部１７の比較結果とＴＯＣ情報とを対応づけて記憶部１９Ａに記憶する（ステップＳ３）。なお、この履歴取得処理開始後は、この比較結果及びＴＯＣ情報は、光ディスク２０が排出されても消去されず、記憶部１９Ａに光ディスク２０の履歴情報（後述する履歴テーブルＴ０）として保持される。
【００１９】
この光ディスク２０の履歴取得処理においては、制御部１９は、光ディスク２０が挿入される度に、その光ディスク２０のＴＯＣ情報が、記憶部１９Ａに記憶されたＴＯＣ情報と一致するか否かを判定し、一致しない場合、つまり、新たな光ディスク２０が挿入されると、その光ディスク２０の再生時における光ピックアップ３０の受光レベルと基準レベルＬ０との比較結果を比較部１７を介して取得し、この比較結果とＴＯＣ情報とを対応づけて記憶部１９Ａに記憶する。これによって、記憶部１９Ａには、図３に示すように、各光ディスク２０のＴＯＣ情報（ＴＯＣ１、ＴＯＣ２、・・・）と、各光ディスク再生時の受光レベルの比較結果とを対応づけた履歴テーブルＴ０が作成される。なお、図３では、受光レベルの比較結果として、例えば、受光レベルが基準レベル以下の場合を「１」、基準レベルを上回る場合を「０」とした場合を示している。
【００２０】
上記履歴取得処理は、履歴を残した光ディスク２０の枚数が予め定めた第１設定数（例えば１０）に達するまで行われ、制御部１９は、第１設定数（例えば１０）に達すると（ステップＳ４：YES）、履歴情報（履歴テーブルＴ０）を参照し、光ピックアップ３０の受光レベルが基準レベル以下の光ディスク２０が第２設定数（例えば６枚）以上か否かを判定する（ステップＳ５）。
そして、受光レベルが基準レベルＬ０以下の光ディスク２０が第２設定数以上の場合（ステップＳ５：YES）、制御部１９は、光ピックアップ３０の汚れを報知する第１報知処理を行う（ステップＳ６）。この第１報知処理は、具体的には、表示部１２に「レンズが汚れています」等の警告を表示する処理、あるいは、その旨の音声をスピーカから報音させる処理である。これによって、ユーザに光ピックアップ３０のクリーニングを促すことができる。
【００２１】
一方、受光レベルが基準レベルＬ０以下の光ディスク２０が第２設定数を下回る場合は、光ピックアップ３０が汚れている可能性よりも光ディスク２０が汚れている可能性が高いため、制御部１９は、光ディスク２０の汚れを報知する第２報知処理を実行する（ステップＳ７）。
この第２報知処理は、汚れている光ディスク２０が新たに挿入されると、その旨を報知する処理であり、具体的には、制御部１９は、光ディスク２０が挿入される度に、履歴情報（履歴テーブルＴ０）を参照し、その光ディスク２０のＴＯＣ情報が、受光レベルが基準レベルＬ０を下回っていた光ディスク２０のＴＯＣ情報と一致するか否かを判定し、一致する場合は、比較部１７によりその光ディスク２０に対する受光レベルが基準レベルＬ０以下か否かを判定し、基準レベル以下の場合に、その光ディスク２０が汚れている旨を報知する報知処理（例えば表示部１２に「光ディスクが汚れています」の警告を表示する処理等）を行う。これによって、ユーザに光ディスク２０のクリーニングを促すことができる。
【００２２】
なお、制御部１９は、上記第１報知処理を実行した後は、上記履歴情報（履歴テーブルＴ０）を消去してステップＳ１の処理に移行し、上記第２報知処理の実行後、所定期間経過後に、上記履歴情報を消去してステップＳ１の処理に移行する。これによって、上述した光ピックアップ３０の汚れ検出処理が繰り返し実行され、光ピックアップ３０の汚れ又は光ディスク２０の汚れが継続的に監視される。
【００２３】
以上説明したように、本構成では、光ディスク再生時の光ピックアップ３０の受光レベルが基準レベルＬ０以下になると、予め定めた枚数の異なる光ディスク２０についての受光レベルの判定結果の記憶を開始し、これら光ディスク２０のうちの何枚の受光レベルが基準レベルＬ０以下となったか否かに応じて光ピックアップ３０の汚れを判定するので、光ピックアップ３０又は光ディスク２０のどちらが汚れているのかを判別でき、光ピックアップ３０の汚れ検出精度が向上する。
しかも、光ディスク２０が汚れていると判定した場合は、その光ディスク２０が挿入された場合に、その旨を報知する第２報知処理を行うので、その光ディスク２０の汚れをユーザに報知することができ、従来の光ピックアップ３０の汚れのみを報知するものに比して高機能な汚れ報知を行うことができる。
【００２４】
上述した実施形態は、あくまで本発明の一態様に過ぎず、本発明の範囲内で任意に変形が可能である。例えば、上述の実施形態においては、車載型ディスク再生装置に本発明を適用する場合について述べたが、車載以外のディスク再生装置に適用してもよく、また、光ピックアップの汚れ検出のための構成をディスク再生装置に内蔵する場合に限らず、専用の汚れ検出装置を構成することも可能である。
【００２５】
また、上述の実施形態では、光ピックアップの汚れ検出を行うための制御プログラムを予め記憶部１９Ａに記憶しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク（電気通信回線）を介して配信サーバなどからダウンロードできるようにしてもよい。
【図面の簡単な説明】
【００２６】
【図１】本実施形態に係るディスク再生装置の光ピックアップの汚れ検出に関わる構成を示すブロック図である。
【図２】汚れ検出処理を示すフローチャートである。
【図３】履歴テーブルの一例を示す図である。
【符号の説明】
【００２７】
１０  ディスク再生装置
１２  表示部
１３  指示入力部
２０  光ディスク
１５  駆動部
１６  レベル検出部
１７  比較部
１８  再生部
１９  制御部
１９Ａ  記憶部
３０  光ピックアップ
【図１】
2006277781.tif 000003
【図２】
2006277781.tif 000004
【図３】
2006277781.tif 000005